(57)【要約】【課題】コネクタの検査及びコネクタに対する合格印の押印を同時に行うこと。【解決手段】コネクタ検査装置１０は、一側面にリテーナ１６を有するコネクタ１２を支持可能なコネクタ支持凹部５２が形成されたホルダー５０と、コネクタ１２の他側面に合格印を押印する押印位置に移動可能な押印部６０と、ホルダー５０をコネクタ１２の嵌合方向に沿って検査位置に移動可能に支持し、ホルダー５０の移動に伴って押印部６０を押印位置に案内する押印案内部２３が形成された基部２０と、浮いたリテーナ１６にホルダー５０の検査位置側から接触可能なリテーナ受部３２が形成され、ホルダー５０の移動方向に沿って規制位置に移動可能に基部２０に支持されたスライダ３０と、スライダ３０に支持され、ホルダー５０が検査位置にあり且つスライダ３０が規制位置にある状態で、押印部６０の押印位置への移動を規制する押印規制部３８とを備える。【選択図】図４
2014157714.tif 000002
【特許請求の範囲】
【請求項１】
一側面に端子固定用のリテーナが設けられたコネクタについて、一側方への前記リテーナの浮きを検知するコネクタ検査装置であって、
前記コネクタを嵌合方向に沿って挿入支持可能なコネクタ支持凹部が形成されたホルダーと、
前記ホルダーに対して、前記コネクタのうちの前記リテーナと反対側の他側面に合格印を押印する押印位置と退避位置との間で移動可能に支持された押印部と、
前記ホルダーを前記コネクタ支持凹部に支持された前記コネクタの嵌合方向に沿ってセット位置と検査位置との間で移動可能に支持すると共に、前記ホルダーの前記セット位置から前記検査位置への移動に伴って前記押印部を前記押印位置に案内する押印案内部が形成された基部と、
前記コネクタ支持凹部に支持された前記コネクタの一側方に浮いた前記リテーナに対して前記ホルダーの前記検査位置側から接触可能なリテーナ受部が形成され、前記ホルダーの移動方向に沿って解除位置と前記解除位置より前記ホルダーの前記検査位置側の規制位置との間で前記基部に移動可能に支持されたスライダと、
前記スライダに支持され、前記ホルダーが前記検査位置にあり且つ前記スライダが前記規制位置にある状態で、前記押印部の前記押印位置への移動を規制する押印規制部と、
を備える、コネクタ検査装置。
【請求項２】
請求項１に記載のコネクタ検査装置であって、
前記押印案内部は、前記ホルダーの移動方向の前記検知位置側に向けて徐々に前記押印部の移動方向の前記押印位置側に向かうカム面状に形成され、
前記押印部は、前記ホルダーの前記検査位置への移動に伴ってカム面状の前記押印案内部に摺接しつつ前記押印位置側に移動する、コネクタ検査装置。
【請求項３】
請求項２に記載のコネクタ検査装置であって、
前記押印部には、前記ホルダーの前記検査位置への移動に伴ってカム面状の前記押印案内部に摺接すると共に移動方向に沿って非押込位置から押込位置に押し込み可能な摺接部と、前記摺接部を前記退避位置側に付勢する摺接用付勢部とが設けられている、コネクタ検査装置。
【請求項４】
請求項１から請求項３のいずれか一項に記載のコネクタ検査装置であって、
前記スライダは、位置決め付勢部により前記コネクタ支持凹部側に向けて付勢され、
前記押印規制部は、前記スライダに対して前記押印部の移動方向に遊びを持って支持され、
前記基部には、前記押印規制部を前記スライダの移動方向に沿って案内するレール部が形成されている、コネクタ検査装置。
【請求項５】
請求項１から請求項４のいずれか一項に記載のコネクタ検査装置であって、
前記スライダには、前記解除位置側且つ前記コネクタ支持凹部側の端部のうちの前記リテーナ受部の側方に、前記規制位置側に向けて徐々に前記コネクタ支持凹部側に傾斜する傾斜部が形成されている、コネクタ検査装置。
【請求項６】
請求項１から請求項５のいずれか一項に記載のコネクタ検査装置であって、
前記ホルダーには、前記コネクタ支持凹部に支持される前記コネクタに対して前記セット位置側から係止可能なロックが設けられている、コネクタ検査装置。
【請求項７】
請求項６に記載のコネクタ検査装置であって、
前記ロックは、前記コネクタ支持凹部に支持される前記コネクタに係止する抜止位置と、前記コネクタ支持凹部の前記セット位置側の領域から退避した規制位置との間で移動可能に設けられ、前記規制位置で前記基部に対して前記セット位置側から係止するホルダー移動規制部が形成されている、コネクタ検査装置。
【発明の詳細な説明】
【技術分野】
【０００１】
この発明は、コネクタを検査する装置である。
【背景技術】
【０００２】
特許文献１には、ワイヤーハーネスの組立工程において、コネクタに端子を挿入する際に端子が完全に挿入されているかどうかを検査可能な端子半挿入検出機能付きコネクタ組立用装置が開示されている。この端子半挿入検出機能付きコネクタ組立用装置は、コネクタのうちの端子抜けを防止する係止片が、端子の半挿入によって外方へ浮いていることを検知可能に構成されている。
【先行技術文献】
【特許文献】
【０００３】
【特許文献１】特開２０１０−１６５５１６号公報
【発明の概要】
【発明が解決しようとする課題】
【０００４】
ところで、端子が挿入されたコネクタは、ワイヤーハーネスの組立工程の後にも、端子が正常に挿入されているかどうかを再検査することがある。この再検査では、端子が正常に挿入されているか否かを表示するために、端子が正常に挿入されている場合にコネクタに合格印を付すことがある。
【０００５】
そこで、本発明は、コネクタの検査及びコネクタに対する合格印の押印を同時に行うことを目的とする。
【課題を解決するための手段】
【０００６】
第１の態様は、一側面に端子固定用のリテーナが設けられたコネクタについて、一側方への前記リテーナの浮きを検知するコネクタ検査装置であって、前記コネクタを嵌合方向に沿って挿入支持可能なコネクタ支持凹部が形成されたホルダーと、前記ホルダーに対して、前記コネクタのうちの前記リテーナと反対側の他側面に合格印を押印する押印位置と退避位置との間で移動可能に支持された押印部と、前記ホルダーを前記コネクタ支持凹部に支持された前記コネクタの嵌合方向に沿ってセット位置と検査位置との間で移動可能に支持すると共に、前記ホルダーの前記セット位置から前記検査位置への移動に伴って前記押印部を前記押印位置に案内する押印案内部が形成された基部と、前記コネクタ支持凹部に支持された前記コネクタの一側方に浮いた前記リテーナに対して前記ホルダーの前記検査位置側から接触可能なリテーナ受部が形成され、前記ホルダーの移動方向に沿って解除位置と前記解除位置より前記ホルダーの前記検査位置側の規制位置との間で前記基部に移動可能に支持されたスライダと、前記スライダに支持され、前記ホルダーが前記検査位置にあり且つ前記スライダが前記規制位置にある状態で、前記押印部の前記押印位置への移動を規制する押印規制部とを備える。
【０００７】
第２の態様は、第１の態様に係るコネクタ検査装置であって、前記押印案内部は、前記ホルダーの移動方向の前記検知位置側に向けて徐々に前記押印部の移動方向の前記押印位置側に向かうカム面状に形成され、前記押印部は、前記ホルダーの前記検査位置への移動に伴ってカム面状の前記押印案内部に摺接しつつ前記押印位置側に移動する。
【０００８】
第３の態様は、第２の態様に係るコネクタ検査装置であって、前記押印部には、前記ホルダーの前記検査位置への移動に伴ってカム面状の前記押印案内部に摺接すると共に移動方向に沿って非押込位置から押込位置に押し込み可能な摺接部と、前記摺接部を前記退避位置側に付勢する摺接用付勢部とが設けられている。
【０００９】
第４の態様は、第１から第３のいずれか一態様に係るコネクタ検査装置であって、前記スライダは、位置決め付勢部により前記コネクタ支持凹部側に向けて付勢され、前記押印規制部は、前記スライダに対して前記押印部の移動方向に遊びを持って支持され、前記基部には、前記押印規制部を前記スライダの移動方向に沿って案内するレール部が形成されている。
【００１０】
第５の態様は、第１から第４のいずれか一態様に係るコネクタ検査装置であって、前記スライダには、前記解除位置側且つ前記コネクタ支持凹部側の端部のうちの前記リテーナ受部の側方に、前記規制位置側に向けて徐々に前記コネクタ支持凹部側に傾斜する傾斜部が形成されている。
【００１１】
第６の態様は、第１から第５のいずれか一態様に係るコネクタ検査装置であって、前記ホルダーには、前記コネクタ支持凹部に支持される前記コネクタに対して前記セット位置側から係止可能なロックが設けられている。
【００１２】
第７の態様は、第６の態様に係るコネクタ検査装置であって、前記ロックは、前記コネクタ支持凹部に支持される前記コネクタに係止する抜止位置と、前記コネクタ支持凹部の前記セット位置側の領域から退避した規制位置との間で移動可能に設けられ、前記規制位置で前記基部に対して前記セット位置側から係止するホルダー移動規制部が形成されている。
【発明の効果】
【００１３】
第１の態様に係るコネクタ検査装置によると、コネクタ支持凹部にコネクタが支持された状態でホルダーを検査位置側に移動させると、押印案内部により押印部が押印位置側に移動される。コネクタ支持凹部に支持されたコネクタのリテーナが浮いていない場合、スライダは解除位置のままで押印部が押印位置に移動され、コネクタに合格印が押印される。一方、コネクタ支持凹部に支持されたコネクタのリテーナが浮いている場合、スライダはリテーナ受部によって浮いたリテーナを受けてホルダーと一緒に移動し、規制位置に移動される。この際、押印部は、規制位置に移動されたスライダに支持されている押印規制部により押印位置への移動を規制される。これにより、コネクタに合格印が押印されない。このようにして、コネクタの検査及びコネクタに対する合格印の押印を同時に行うことができる。
【００１４】
第２の態様に係るコネクタ検査装置によると、押印部が、ホルダーの検査位置への移動に伴ってカム面状の押印案内部に摺接しつつ押印位置側に移動する。このため、より簡単な構成で押印部の押印動作を実現できる。
【００１５】
第３の態様に係るコネクタ検査装置によると、ホルダーの検査位置への移動に伴う押印部の押印位置側への移動の際に、摺接部が摺接用付勢部の付勢力に逆らって押込位置側に移動することにより、押印部によるコネクタに対する押印時のコネクタと押印部との密着を確保しつつ負荷を軽減できる。また、押印部の押印位置への移動が押印規制部によって規制された時も、摺接部の押込位置への移動により、押印案内部による案内距離のうち移動規制された分の距離を吸収することができる。
【００１６】
第４の態様に係るコネクタ検査装置によると、スライダが、位置決め付勢部によりコネクタ支持凹部側に向けて付勢されているため、コネクタの一側面に沿って配設される。また、押印規制部が、スライダに対して押印部の移動方向に遊びを持って支持され、レール部によってスライダの移動方向に沿って案内されているため、押印規制部が押印部の移動を規制することによって押圧されても、押印規制部にかかる押印部の移動方向の力はレール部によって受け止められる。これにより、リテーナの浮きが小さくても、より確実にリテーナ受部で浮いたリテーナを受けて検知することができる。
【００１７】
第５の態様に係るコネクタ検査装置によると、コネクタのコネクタ支持凹部に対する挿入作業をよりスムーズにすることができる。
【００１８】
第６の態様に係るコネクタ検査装置によると、コネクタ支持凹部に挿入されたコネクタが該コネクタ支持凹部から抜け出すのを規制することができる。
【００１９】
第７の態様に係るコネクタ検査装置によると、コネクタがコネクタ支持凹部に対して中途半端に挿入された状態では、ロックが該コネクタに係止できずに規制位置に維持され、ロックのホルダー移動規制部が基部に係止してホルダーの検査位置側への移動を規制する。これにより、コネクタがコネクタ支持凹部に対して奥側まで挿入されていない状態におけるコネクタの検査を規制することができる。
【図面の簡単な説明】
【００２０】
【図１】コネクタの斜視図である。
【図２】リテーナが浮いた状態のコネクタの斜視図である。
【図３】コネクタ検査装置の分解斜視図である。
【図４】コネクタ検査装置の断面図である。
【図５】コネクタをセットする様子を示す図である。
【図６】コネクタをセットした状態を示す図である。
【図７】ホルダーを押し下げる様子を示す図である。
【図８】ホルダーを検査位置に押し下げた状態を示す図である。
【図９】リテーナが浮いたコネクタをセットした状態を示す図である。
【図１０】ホルダーを押し下げる様子を示す図である。
【図１１】ホルダーを検査位置に押し下げた状態を示す図である。
【図１２】コネクタをセットする際のスライダの様子を示す拡大図である。
【図１３】ホルダーを押し下げる際のスライダの様子を示す拡大図である。
【図１４】押印部と押印規制部との関係を示す斜視図である。
【図１５】押印規制突部と押印規制部との関係を示す断面図である。
【図１６】ホルダーを押し下げた状態を示す図である。
【図１７】リテーナが浮いたコネクタをセットしたホルダーを押し下げた状態を示す図である。
【発明を実施するための形態】
【００２１】
以下、実施形態に係るコネクタ検査装置１０について説明する（図３、図６参照）。コネクタ検査装置１０は、コネクタ１２のリテーナ１６の浮きを検知して各キャビティに端子が正常に挿入されているかどうかを検査する装置である。
【００２２】
＜コネクタ＞
説明の便宜上、まず、検査対象となるコネクタ１２について説明しておく（図１、図２参照）。ここでは、コネクタ１２が雌コネクタである例で説明する。もっとも、検査対象となるコネクタは、雄コネクタであってもよい。コネクタ１２について、相手コネクタ等の接続対象に対して嵌合される方向を嵌合方向という。
【００２３】
また、ここでは、コネクタ１２は、貫通方向を平行にして並列状に一列に形成された複数のキャビティを有する扁平な形状に形成され、複数のキャビティにそれぞれ雌端子が挿入配設されている。なお、キャビティ及び端子については図示省略している。
【００２４】
コネクタ１２は、本体部１４と、端子固定用のリテーナ１６と、張出部１８とを有している。本体部１４は、略直方体形状に形成されている。この本体部１４の一側部には、複数のキャビティを外部に連通させるリテーナ１６嵌込用の孔部が形成されている。
【００２５】
リテーナ１６は、複数のキャビティにそれぞれ挿入された端子に対して、コネクタ１２の嵌合方向に係止して抜止めする部分である。このリテーナ１６は、本体部１４の一側部に設けられ、ここでは、本体部１４の一側部に形成された孔部に嵌合されている。より具体的には、リテーナ１６は、本体部１４に形成された孔部を通じて、キャビティに挿入される端子の一部分に対して挿入方向後方から係止する。そして、リテーナ１６は、複数のキャビティにそれぞれ端子が奥側まで挿入された状態で、本体部１４に形成された孔部に対して完全に嵌合し、該孔部内に全体的に収容される。この状態で、リテーナ１６は、外面が本体部１４の一側面と略面一となる。一方、リテーナ１６は、複数のキャビティのうちのいずれか１つでも端子が半挿入である状態或いはキャビティに対する端子の挿入姿勢が間違っている状態で、一部分が本体部１４の一側面から外方に突出して浮いた形態で配設される（図２参照）。もっとも、リテーナ１６は、複数のキャビティにそれぞれ端子が奥側まで挿入された状態であっても、本体部１４に対する嵌合ミスにより、本体部１４の一側面から浮いた形態で配設されることがある。
【００２６】
また、張出部１８は、本体部１４のうちリテーナ１６が設けられる一側部の嵌合方向後端縁部から側方に張り出す形状に形成されている。この張出部１８は、コネクタ１２の嵌合方向に直交する方向に延在している。
【００２７】
＜コネクタ検査装置＞
コネクタ検査装置１０は、本体部１４の一側方に突出したリテーナ１６を検知することにより端子の挿入状態の正否を検査できる。このコネクタ検査装置１０は、基部２０と、スライダ３０と、ホルダー５０と、押印部６０と、ロック８０とを備えている（図３、図４参照）。概略的には、コネクタ検査装置１０は、ホルダー５０にコネクタ１２を支持した状態で、基部２０に対して、ホルダー５０をコネクタ１２の嵌合方向に沿ってセット位置から検査位置に押し込んで検査を行う（図６、図８参照）。そして、コネクタ１２に全ての端子が正常に挿入されてリテーナ１６が嵌合されている状態では、ホルダー５０の押し込み動作に伴って押印部６０が移動してコネクタ１２に押印する（図８参照）。一方、コネクタ１２のいずれかの端子が正常に挿入されていない場合等のリテーナ１６が浮いている状態では、ホルダー５０の押し込み動作が行われても押印部６０による押印が行われない（図１１参照）。すなわち、コネクタ１２に対する押印の有無でコネクタ１２に対する端子挿入が正常に行われているか（リテーナ１６が嵌合されているか）どうかを検査することができる。
【００２８】
＜ホルダー＞
ホルダー５０は、略直方体形状の外部形状に形成されている。このホルダー５０には、コネクタ１２を支持可能なコネクタ支持凹部５２と、押印部６０を支持する押印収容凹部５４とが形成されている（図３、図４参照）。なお、押印収容凹部５４については、押印部６０に関する説明中に詳述する。
【００２９】
コネクタ支持凹部５２は、コネクタ本体部１４を内側に収容支持可能に形成されている。ここでは、コネクタ支持凹部５２は、略直方体形状のホルダー５０の一端縁部で隣り合う二面で開口する凹状に形成されている。そして、コネクタ支持凹部５２は、コネクタ１２を、リテーナ１６及び張出部１８が設けられた一側面と嵌合方向後端部を各開口から露出させる姿勢で収容支持する。より具体的には、コネクタ支持凹部５２は、コネクタ本体部１４と同じかそれより僅かに大きい内部空間を有する大きさに設定されている。さらに、コネクタ支持凹部５２は、コネクタ１２を、浮いたリテーナ１６及び張出部１８を一方の開口から外方に突出させる形態で支持可能に形成されている。
【００３０】
さらに、後述するスライダ３０のリテーナ受部３２によって浮いたリテーナ１６をより確実に検知する観点から言うと、コネクタ支持凹部５２は、支持されるコネクタ１２のリテーナ１６の浮き方向において、コネクタ本体部１４より僅かに小さい寸法に設定されているとよい。
【００３１】
＜基部＞
基部２０は、ホルダー５０をコネクタ支持凹部５２に支持されたコネクタ１２の嵌合方向に沿ってセット位置と検査位置との間で移動可能に支持する（図６、図８参照）。この基部２０は、内側にホルダー５０及びスライダ３０を配設可能な凹部を有している。より具体的には、基部２０には、一面で開口するホルダー収容凹部２２と、ホルダー収容凹部２２の一側部で開口するスライダ収容凹部２６とが形成されている。なお、スライダ収容凹部２６については、スライダ３０に関する説明中に詳述する。
【００３２】
ホルダー収容凹部２２は、ホルダー５０をセット位置と検査位置との間で移動可能に収容可能な凹状に形成されている。ここでは、ホルダー収容凹部２２は、ホルダー５０の略直方体形状の外部形状に対応して略直方体形状の内部空間を有する。そして、ホルダー５０は、ホルダー収容凹部２２に対して、コネクタ支持凹部５２のうちのコネクタ１２の嵌合方向後端部が配設される側の開口がホルダー収容凹部２２の開口から露出される姿勢で収容される。ここで、セット位置とは、ホルダー収容凹部２２の開口縁部とコネクタ支持凹部５２の開口縁部とが略面一になる位置であり、コネクタ支持凹部５２にコネクタ１２をセットする位置である（図６参照）。検査位置とは、ホルダー収容凹部２２内にホルダー５０が押し込まれた位置であり、コネクタ支持凹部５２に支持されたコネクタ１２に対する押印動作或いは押印規制がなされる位置である（図８参照）。
【００３３】
ホルダー５０は、ホルダー付勢部５８により、セット位置側に付勢されている。ここでは、ホルダー付勢部５８としてコイルバネを採用しているが、ホルダー付勢部はホルダー５０をセット位置側に付勢可能な付勢部材であればよい。
【００３４】
また、ホルダー５０には、側面の一部から移動方向に直交する向きに突出し、セット位置側を向く係止面を有する凸部が形成されている（図１５参照）。一方、基部２０には、内壁面一部にホルダー５０の移動方向に直交する向きに凹み、ホルダー５０の検査位置側を向く係止面を有する凹部が形成されている。上記ホルダー５０の凸部と基部２０の凹部とは、ホルダー５０がセット位置にある状態で凸部と凹部との係止面同士が当接して、ホルダー５０が基部２０のホルダー収容凹部２２から抜け出さないように形成されている。そして、ホルダー５０は、検査位置側に向けてホルダー付勢部５８の付勢力より大きい外力が作用しない状態ではセット位置に維持される。
【００３５】
また、基部２０には、ホルダー５０のコネクタ支持凹部５２に支持されるコネクタ１２の浮いたリテーナ１６及び張出部１８を通過及び配設可能なリテーナ通過溝部２４が形成されている。すなわち、コネクタ支持凹部５２は、コネクタ１２を、浮いたリテーナ１６及び張出部１８を外方に突出させる形態で支持する。このため、該リテーナ１６及び張出部１８を通過及び配設可能な内部空間を有するリテーナ通過溝部２４を設けている。ここでは、リテーナ通過溝部２４は、ホルダー収容凹部２２のへ基部で開口し、ホルダー５０の移動方向に沿った溝状に形成されている。このリテーナ通過溝部２４は、リテーナ１６及び張出部１８のうちの幅広な一方の幅寸法と同じかそれより大きい（ここでは僅かに大きい）幅寸法に設定されている。
【００３６】
また、基部２０には、ホルダー５０の検査位置への移動に伴って後述する押印部６０を押印位置に案内する押印案内部２３と、押印部６０（押印本体部６２）の移動方向後端部を収容可能な押印移動用凹部２８とが形成されている。押印案内部２３及び押印移動用凹部２８については、押印部６０に関する説明中に詳述する。
【００３７】
＜押印部＞
押印部６０は、コネクタ１２のリテーナ１６と反対側の他側面に合格印を押印する部分である。この押印部６０は、押印本体部６２と、押印移動部６４と、摺接部６６と、摺接用付勢部６７とを有している（図１４参照）。
【００３８】
押印本体部６２は、コネクタ１２に合格印を押印する部分であり、ここではインク付のスタンプである。この押印本体部６２は、略円柱形状に形成されている。もっとも、押印本体部６２は、コネクタ１２に合格印を付すことが可能なものであればよく、例えば、焼印等により合格印を付すものであってもよい。押印本体部６２は、押印移動部６４に支持されている。押印移動部６４は、押印本体部６２の先端部を突出させる形態で押印本体部６２を支持する。この押印移動部６４は、ホルダー５０の押印収容凹部５４内に移動可能に支持されている。
【００３９】
押印収容凹部５４は、押印部６０を、コネクタ１２のリテーナ１６と反対側の他側部に合格印を押印する押印位置（図８参照）とコネクタ１２の他側部から離間した退避位置（図６参照）との間で移動可能に支持するように形成されている。押印部６０の押印位置と退避位置とを結ぶ移動方向は、コネクタ支持凹部５２内に支持されるコネクタ１２の押印面（他側面）に直交する方向に設定されている（図７参照）。この押印収容凹部５４は、コネクタ支持凹部５２の内壁部で開口すると共に、ホルダー５０のコネクタ支持凹部５２とは反対側の側面で開口する貫通孔状に形成されている。より具体的には、押印収容凹部５４は、押印部６０の移動方向に直交する方向において、押印移動部６４より僅かに大きいサイズに設定されている。すなわち、押印収容凹部５４は、押印部６０が移動方向に直交する方向になるべくがたつかないように設定されている（図３参照）。また、押印収容凹部５４のコネクタ支持凹部５２側部分は、押印移動部６４から突出する押印本体部６２の先端部を挿通可能な円筒状空間を有する孔状に形成されている。
【００４０】
また、ここでは、押印部６０（押印本体部６２）の移動方向後端部は、基部２０に形成された押印移動用凹部２８内に収容されている（図４参照）。押印移動用凹部２８は、ホルダー収容凹部２２の内壁部で押印部６０の移動方向押印位置側に向けて開口している。より具体的には、押印移動用凹部２８は、押印部６０が退避位置にある状態で、押印移動部６４の移動方向後端部から突出する押印本体部６２の後端部を収容可能な大きさに形成されている。
【００４１】
また、押印部６０は、押印付勢部６５によって退避位置側に付勢されている。すなわち、押印部６０は、コネクタ支持凹部５２側に向けて押動されない状態では、押印付勢部６５の付勢力によって退避位置に維持される（図４参照）。ここでは、押印付勢部６５としてコイルバネを採用しているが、押印付勢部は押印部６０を退避位置側に付勢可能な付勢部材であればよい。
【００４２】
この押印部６０（押印移動部６４）は、押印案内部２３により、退避位置から押印位置に案内される。押印案内部２３は、ホルダー５０の検査位置への移動に伴って押印部６０を押印位置に案内するように形成されている。この押印案内部２３は、ホルダー５０の移動方向の検知位置側（ホルダー収容凹部２２の奥側）に向けて徐々に押印部６０の移動方向の押印位置側に向かうカム面状に形成されている（図４参照）。より具体的には、押印案内部２３は、ホルダー収容凹部２２のうちのスライダ収容凹部２６とは反対側の内壁部から内側に張り出す形状に形成されている。ここでは、押印案内部２３は、ホルダー収容凹部２２のうち、リテーナ通過溝部２４の幅方向における中間部分から張り出している。また、押印案内部２３は、ホルダー５０がセット位置にある状態において、押印部６０より検査位置側の位置に形成されている。そして、押印部６０は、ホルダー５０の検査位置への移動に伴って押印案内部２３に摺接しつつ押印位置側に移動する。
【００４３】
また、押印部６０には、摺接部６６と、摺接用付勢部６７とが設けられている。摺接部６６及び摺接用付勢部６７は、ホルダー５０の検査位置側への移動に伴って退避位置から押印位置側に押動される押印部６０が押印規制部３８によって押印位置側への移動を規制された際に押印位置側への押動力を吸収する部分である（図１１参照）。
【００４４】
この摺接部６６は、ホルダー５０の検査位置への移動に伴って押印案内部２３に摺接すると共に、押印部６０の移動方向に沿って非押込位置から押込位置に押し込み可能に設けられている。より具体的には、摺接部６６は、押印移動部６４に形成された凹部内に収容されている。押印移動部６４の凹部は、コネクタ支持凹部５２側とは反対側の端縁部で隣り合う２面で開口する略直方体形状の内部空間を有する形状に形成されている。摺接部６６は、非押込位置で、前記凹部が開口する２面に略面一となるように形成されている（図４、図１４参照）。
【００４５】
摺接部６６には、押印部６０の移動方向に長く、リテーナ通過溝部２４の幅方向に貫通する長孔が形成されている。一方、押印移動部６４の凹部には、リテーナ通過溝部２４の幅方向に沿って両側壁間に軸部が架け渡されている。そして、摺接部６６は、長孔に軸部が挿通される形態で押印移動部６４の凹部内に配設され、軸部が長孔内を相対移動する範囲内で押印部６０の移動方向に沿って移動可能となっている。この摺接部６６の移動範囲は、長孔の長手寸法によって設定されている。
【００４６】
摺接部６６は、摺接用付勢部６７によって非押込位置側に向けて付勢されている。この摺接用付勢部６７の付勢力は、押印付勢部６５の付勢力より強く設定されている。すなわち、通常は、摺接部６６が押込位置側に押されると、押印付勢部６５が圧縮されて押印部６０全体が押印位置側に移動される（図７参照）。押印部６０が押印位置側への移動を規制された状態で摺接部６６が押込位置側に押されると、摺接用付勢部６７が圧縮されて摺接部６６が押込位置側に移動される（図１１参照）。ここでは、摺接用付勢部６７としてコイルバネを採用しているが、摺接用付勢部は摺接部を非押込位置側に付勢可能な付勢部材であればよい。
【００４７】
そして、ホルダー５０がセット位置から検査位置側に移動されると、摺接部６６が押印案内部２３に摺接し、摺接部６６が摺接用付勢部６７の付勢力により非押込位置に維持されたまま押印部６０が押印位置に移動される（図７、図８参照）。押印部６０が押印位置側への移動を規制されると、摺接用付勢部６７が圧縮されて摺接部６６が押込位置側に移動する（図１１参照）。
【００４８】
また、押印移動部６４には、押印規制突部６８が形成されている（図１４参照）。押印規制突部６８は、後述する押印規制部３８に当接する部分である。この押印規制突部６８は、押印移動部６４の押印位置側端部から押印位置側に向けて延出する形状に形成されている。ここでは、押印規制突部６８は、押印移動部６４のうち、リテーナ通過溝部２４の幅方向における両端部から一対延出している。また、一対の押印規制突部６８は、コネクタ支持凹部５２の両側方を通過可能に設けられている。
【００４９】
より具体的には、一対の押印規制突部６８は、押印部６０の移動方向において、後述するスライダ収容凹部２６の一対のレール部２７に対してそれぞれ対向する位置に形成されている。また、一対の押印規制突部６８は、ホルダー５０がセット位置にある状態で、スライダ３０が解除位置にある状態における押印規制部３８に対して押印部６０の移動方向に対向する位置に形成されている（図１５参照）。また、一対の押印規制突部６８は、押印部６０が退避位置にある状態で、先端部がコネクタ支持凹部５２の側方に位置する延出寸法に設定されている。そして、一対の押印規制突部６８は、押印部６０の押印位置への移動により、先端部が一対のレール部２７内に挿入される（押印位置、図１６参照）か、或いは、一対のレール部２７内に配設されている後述する押印規制部３８に当接して一対のレール部２７内に挿入されない（図１７参照）。そして、押印部６０は、一対の押印規制突部６８が一対のレール部２７内に挿入された押印位置で、コネクタ支持凹部５２内に支持されているコネクタ１２に押印する。また、押印部６０は、一対の押印規制突部６８が押印規制部３８に当接した位置で、コネクタ支持凹部５２内に支持されているコネクタ１２から離間して該コネクタ１２に押印できない。
【００５０】
＜スライダ＞
スライダ３０は、コネクタ支持凹部５２に支持されたコネクタ１２のリテーナ１６の浮きを検知する部分である。また、スライダ３０は、後述する押印規制部３８を支持し、リテーナ１６の浮きを検知すると、押印規制部３８が押印規制する位置に移動するように設けられている。このスライダ３０は、スライダ収容凹部２６内に収容され、解除位置と規制位置との間で基部２０に移動可能に支持されている（図１４参照）。解除位置とは、ホルダー５０の移動方向セット位置側の位置（図６参照）であり、押印部６０の押印を許容する位置である。また、規制位置とは、解除位置よりホルダー５０の移動方向検査位置側の位置であり、押印部６０の押印を規制する位置（図１１参照）である。
【００５１】
スライダ収容凹部２６は、リテーナ通過溝部２４の検査位置側で、ホルダー収容凹部２２内に開口すると共にリテーナ通過溝部２４と内部空間を連通させるように形成されている。より具体的には、スライダ収容凹部２６は、スライダ３０を、ホルダー５０の移動方向と同方向に沿って解除位置と規制位置との間で移動可能に収容する。また、スライダ収容凹部２６には、後述する押印規制部３８をスライダ３０の移動方向に沿って案内するレール部２７が形成されている（図１５参照）。このレール部２７については、押印規制部３８に関する説明中に詳述する。
【００５２】
スライダ３０は、略直方体形状の外部形状に形成されている。このスライダ３０には、コネクタ支持凹部５２に支持されたコネクタ１２の側方に突出したリテーナ１６に対して、ホルダー５０の検査位置側から接触可能なリテーナ受部３２が形成されている（図９参照）。より具体的には、リテーナ受部３２は、スライダ３０のうちホルダー５０のセット位置側で且つホルダー収容凹部２２側の端部に形成され、ホルダー５０の移動方向のセット位置側に向く面状に形成されている。ここでは、リテーナ受部３２は、ホルダー５０（スライダ３０）の移動方向に直交するように形成されている。そして、リテーナ受部３２は、ホルダー５０のコネクタ支持凹部５２内に支持されたコネクタ１２のうちの浮いたリテーナ１６に対して、ホルダー５０の移動方向に対向する。ここでは、リテーナ受部３２は、スライダ３０が解除位置にある状態で、コネクタ支持凹部５２内に支持されたコネクタ１２の浮いたリテーナ１６に接触する位置に形成されている。
【００５３】
また、スライダ３０には、解除位置側且つコネクタ支持凹部５２側の端部のうちのリテーナ受部３２の側方に、規制位置側に向けて徐々にコネクタ支持凹部５２側に傾斜する傾斜部３４が形成されている（図１２参照）。ここでは、傾斜部３４は、リテーナ受部３２の両側に形成されている（図１４参照）。そして、傾斜部３４は、コネクタ支持凹部５２にコネクタ１２が挿入される際に、コネクタ１２の嵌合方向先端部がスライダ３０に引っ掛かってスライダ３０が誤って規制位置に移動されることを抑制できる。
【００５４】
また、スライダ３０は、スライダ付勢部３６により解除位置側に付勢されている（図１２参照）。すなわち、スライダ３０は、規制位置側に向けてスライダ付勢部３６の付勢力より大きい外力が作用しない状態では解除位置に維持される。また、スライダ３０は、位置決め付勢部３７により、コネクタ支持凹部５２側（ホルダー収容凹部２２側）に向けて付勢されている。すなわち、スライダ３０は、ホルダー収容凹部２２内に収容されているホルダー５０のうちのスライダ収容凹部２６側の壁部に押し付けられている。これにより、スライダ３０は、コネクタ支持凹部５２内に支持されるコネクタ１２のリテーナ１６側の一側面に押し当てられる（図１３参照）。なお、スライダ３０は、コネクタ１２の一側面に接触しない場合もあい得るが、位置決め付勢部３７が設けられない場合と比べてコネクタ１２に対する隙間をより狭く維持できる。さらに、上述したように、コネクタ支持凹部５２がコネクタ１２のリテーナ１６の浮き方向においてコネクタ本体部１４より僅かに小さい寸法に設定されていると、位置決め付勢部３７によって付勢されるスライダ３０がコネクタ１２の一側面に対してより確実に押し付けられる。これにより、リテーナ受部３２は、リテーナ１６のより小さい浮きでも検知することができる。
【００５５】
ここでは、スライダ付勢部３６及び位置決め付勢部３７としてコイルバネを採用しているが、これに限られるものではない。すなわち、スライダ付勢部は、スライダ３０を解除位置に付勢可能な付勢部材であればよい。また、位置決め付勢部は、スライダ３０をコネクタ支持凹部５２側に付勢可能な付勢部材であればよい。
【００５６】
＜押印規制部＞
押印規制部３８は、スライダ３０に支持され、スライダ３０が規制位置にある状態で、押印部６０の押印位置への移動を規制する部分である。この押印規制部３８は、円柱棒状に形成され、スライダ収容凹部２６のレール部２７及びスライダ３０の凹部３３に支持されている（図１４参照）。
【００５７】
レール部２７は、リテーナ通過溝部２４の幅方向において、スライダ収容凹部２６の両側で互いに向かい合って開口し、スライダ３０の移動方向に沿って延在する溝状に形成されている。ここでは、一対のレール部２７は、ホルダー収容凹部２２内にも開口し、ホルダー収容凹部２２内に配設されるホルダー５０の一部分によって該開口を塞がれて溝状を成している（図１５参照）。そして、一対のレール部２７は、押印規制部３８を、両端部を内側に配設して、自身の延在方向に沿って移動可能に支持する。より具体的には、一対のレール部２７の対向する内壁面同士は、押印規制部３８の長手寸法より大きい（ここでは僅かに大きい）間隔をあける位置に形成されている。また、一対のレール部２７は、押印規制部３８の直径より大きい（ここでは僅かに大きい）幅寸法に設定されている。
【００５８】
また、凹部３３は、押印規制部３８の中間部分を支持する。この凹部３３は、ホルダー収容凹部２２側に開口すると共に、リテーナ通過溝部２４の幅方向に沿って延在する溝状に形成されている。より具体的には、凹部３３は、スライダ３０の移動方向において、内側に配設される押印規制部３８がなるべくがたつかない、すなわち、押印規制部３８の直径と同じかそれより僅かに大きい寸法に設定されている。好ましくは、凹部３３は、押印規制部３８を、内側で回転可能に支持するように形成されているとよい。また、凹部３３は、押印規制部３８の直径より大きい深さ寸法に設定されている。すなわち、押印規制部３８は、スライダ３０に対して押印部６０の移動方向に遊びを持って設けられている。これにより、押印規制部３８は、スライダ３０の移動方向ではスライダ３０と共に移動するように設けられ、押印部６０の移動方向ではスライダ３０の動作と独立して一対のレール部２７の各側壁部によって移動規制されている。
【００５９】
そして、スライダ３０が解除位置にある状態で押印部６０が押印位置側に移動されると、一対の押印規制突部６８は、押印規制部３８よりスライダ３０の規制位置側で一対のレール部２７内に挿入される（図１６参照）。すなわち、押印部６０が、押印位置に移動される。一方、スライダ３０が規制位置にある状態で押印部６０が押印位置側に移動されると、一対の押印規制突部６８は、押印部６０の移動方向において押印規制部３８と当接する（図１７参照）。すなわち、押印部６０は、押印位置への移動を規制される。
【００６０】
＜ロック＞
ロック８０は、コネクタ支持凹部５２に支持されるコネクタ１２に対してホルダー５０のセット位置側から係止可能に設けられている。より具体的には、ロック８０は、ホルダー５０に対して、押印部６０の移動方向に沿って係止位置（図６参照）と規制位置（図５参照）との間で移動可能に配設されている。ここでは、ロック８０は、ホルダー５０のセット位置側端部のうちのコネクタ支持凹部５２とは反対側の部位に形成された凹部に嵌合されている（図３参照）。このロック８０は、係止延出部８２と、ホルダー移動規制部８４と、押圧面８６とを有している。
【００６１】
係止延出部８２は、コネクタ支持凹部５２に支持されるコネクタ１２に係止する部分である。この係止延出部８２は、ホルダー５０に嵌合されたロック８０の本体部分からホルダー５０のセット位置側端面に沿ってコネクタ支持凹部５２側に延出する形状に形成されている。また、係止延出部８２の先端側部分には、先端に近付くにつれてホルダー５０側に傾斜する傾斜面が形成されている。
【００６２】
そして、係止延出部８２は、ロック８０が係止位置にある状態でコネクタ支持凹部５２のセット位置側の領域に張り出し（図４参照）、ロック８０が規制位置にある状態でコネクタ支持凹部５２のセット位置側の領域から退避する（図５参照）。
【００６３】
ホルダー移動規制部８４は、ホルダー５０の検査位置への移動を規制する部分である。このホルダー移動規制部８４には、ロック８０の本体部分から係止延出部８２とは反対側に突出し、ホルダー５０の検査位置側を向く規制面が形成されている。ホルダー移動規制部８４の規制面は、ホルダー５０の移動方向に直交する形状に形成されている。
【００６４】
このホルダー移動規制部８４は、ロック８０が規制位置に移動されると、ホルダー５０の検査位置側の部位が、基部２０に形成された規制凹部２９内に配設される。規制凹部２９は、基部２０のうち、リテーナ通過溝部２４とは反対側のホルダー収容凹部２２の内壁面及びホルダー収容凹部２２の開口側端面の２面で開口する凹状に形成されている。この規制凹部２９には、ホルダー５０の移動方向のセット位置側を向く規制面が形成されている。規制凹部２９の規制面は、ホルダー５０の移動方向に直交する形状に形成されている。
【００６５】
そして、ホルダー移動規制部８４は、ロック８０が規制位置にある状態で、部分的に規制凹部２９内に進入し、ホルダー５０の移動方向において規制面が規制凹部２９の規制面に対向する位置に配設される。一方、ホルダー移動規制部８４は、ロック８０が係止位置にある状態で、規制凹部２９内から退避する。
【００６６】
また、押圧面８６は、ホルダー５０をセット位置から検査位置に移動させる際に、作業者が指で押すための部分である。押圧面８６は、ロック８０のうち、ホルダー５０のセット位置側に形成されている。より具体的には、押圧面８６は、係止延出部８２とホルダー移動規制部８４とを結ぶ方向に凹状の曲線状に延在する形状に形成されている。
【００６７】
また、ロック８０は、ロック付勢部８８によって係止位置側に付勢されている。すなわち、ロック８０は、規制位置側に向けてロック付勢部８８の付勢力より大きい外力が作用しない状態では、係止位置に維持される。ここでは、ロック付勢部８８としてコイルバネを採用しているが、ロック付勢部はロック８０を係止位置側に付勢可能な付勢部材であればよい。
【００６８】
＜動作＞
次に、コネクタ１２の検査を行う際のコネクタ検査装置１０の動作について説明する。コネクタ検査装置１０は、初期状態として、コネクタ支持凹部５２が空で、ロック８０が係止位置に、ホルダー５０がセット位置に、スライダ３０が解除位置に、押印部６０が退避位置にあるものとする（図４、図１５参照）。
【００６９】
まず、ロック８０を係止位置から規制位置に移動させて、コネクタ１２をコネクタ支持凹部５２に挿入する（図５参照）。この際、コネクタ１２がコネクタ支持凹部５２の奥側まで挿入されると、ロック８０はロック付勢部８８の付勢力によって係止位置に移動される（図６、図９参照）。これにより、ロック８０は、係止延出部８２がコネクタ支持凹部５２内のコネクタ１２の嵌合方向後端部に係止した状態となる。一方、コネクタ１２がコネクタ支持凹部５２の奥側まで挿入されない（係止延出部８２を越えていない）状態では、ロック８０はコネクタ１２により規制位置に維持される。すなわち、ロック８０は、ホルダー移動規制部８４が基部２０の規制凹部２９に係止して、ホルダー５０の検査位置への移動を規制する。
【００７０】
コネクタ１２がコネクタ支持凹部５２の奥側まで挿入された状態で、ロック８０の押圧面８６を押して、ホルダー５０を検査位置に移動させる（図７、図１０参照）。ホルダー５０の検査位置側への移動に伴って、押印部６０は押印位置側に移動される。より具体的には、押印部６０は、摺接部６６が押印案内部２３に摺接しつつ押印位置側に移動される。
【００７１】
ここで、端子が正常に（正規の姿勢で奥まで）挿入されているコネクタ１２がコネクタ支持凹部５２に挿入された場合、ホルダー５０が検査位置に移動されると、スライダ３０は解除位置に維持される（図７参照）。すなわち、コネクタ１２のリテーナ１６は、リテーナ受部３２に引っ掛からずにスライダ３０のホルダー５０側を通過する。そして、押印部６０は、一対の押印規制突部６８が押印規制部３８より規制位置側で一対のレール部２７内に挿入されつつ押印位置側に移動される（図１６参照）。この際、押印付勢部６５が圧縮されると共に、摺接部６６は摺接用付勢部６７の付勢力によって非押込位置に維持されたまま押印案内部２３に摺接する。ホルダー５０が検査位置まで移動されると、押印部６０が押印位置まで移動され、押印部６０によってコネクタ１２に合格印が押印される（図８参照）。
【００７２】
一方、端子が正常に挿入されていない場合等、リテーナ１６が浮いた状態のコネクタ１２がコネクタ支持凹部５２に挿入された場合（図９参照）、ホルダー５０が検査位置に移動されると、スライダ３０は規制位置に移動される。すなわち、コネクタ１２のリテーナ１６は、スライダ３０のリテーナ受部３２に引っ掛かり、ホルダー５０の検査位置側への移動に伴ってスライダ３０を規制位置側に押動する（図１０参照）。このため、スライダ３０に支持された押印規制部３８は、ホルダー５０に支持された押印部６０と一緒にホルダー５０の検査位置側に移動される。そして、押印部６０は、一対の押印規制突部６８が押印規制部３８に当接して、押印位置側への移動が規制される（図１７参照）。すなわち、押印部６０によってコネクタ１２に合格印が押印されない（図１１参照）。この際、摺接部６６は、ホルダー５０の検査位置への移動に伴って、押印案内部２３に摺接しつつ摺接用付勢部６７を圧縮し、押込位置に移動される。
【００７３】
ここで、一対の押印規制突部６８によって押圧される押印規制部３８は、上述したように、スライダ３０に対して押印部６０の移動方向に遊びを持って支持されると共に、一対のレール部２７によって押印部６０の移動方向に移動規制されている。このため、スライダ３０は、押印規制部３８による押印部６０の移動規制に関わらずに、位置決め付勢部３７の付勢力によりコネクタ支持凹部５２側に押し付けられた状態に維持される（図１３参照）。これにより、リテーナ受部３２により浮いたリテーナ１６を受けた状態をより確実に維持できる。
【００７４】
ホルダー５０が検査位置に移動されて検査が終了すると、ロック８０の押圧面８６に対する押圧を解除する。すると、ホルダー付勢部５８の付勢力により、ホルダー５０は、セット位置に戻される。また、押印部６０は押印付勢部６５の付勢力により退避位置に戻され、摺接部６６は摺接用付勢部６７の付勢力により非押込位置に戻され、スライダ３０はスライダ付勢部３６の付勢力により解除位置に戻される。
【００７５】
そして、ロック８０を規制位置に移動させて、コネクタ支持凹部５２からコネクタ１２を取り出す。合格印が押印されたコネクタ１２は後工程に供給し、合格印が押印されていないコネクタ１２は、端子を正常に挿入し直し、リテーナ１６を完全に嵌合させて再度コネクタ検査装置１０を用いた検査に供するとよい。
【００７６】
＜効果＞
上記実施形態に係るコネクタ検査装置１０によると、コネクタ支持凹部５２にコネクタ１２が支持された状態でホルダー５０を検査位置側に移動させると、押印案内部２３により押印部６０が押印位置側に移動される。コネクタ支持凹部５２に支持されたコネクタ１２のリテーナ１６が浮いていない場合、スライダ３０は解除位置のままで押印部６０が押印位置に移動され、コネクタ１２に合格印が押印される。一方、コネクタ支持凹部５２に支持されたコネクタ１２のリテーナ１６が浮いている場合、スライダ３０はリテーナ受部３２によって浮いたリテーナ１６を受けてホルダー５０と一緒に移動し、規制位置に移動される。この際、押印部６０は、規制位置に移動されたスライダ３０に支持されている押印規制部３８により押印位置への移動を規制される。これにより、コネクタ１２に合格印が押印されない。このようにして、コネクタ１２の検査及びコネクタ１２に対する合格印の押印を同時に行うことができる。
【００７７】
また、押印部６０によって合格印を押印するため、導通確認なしにコネクタ１２に対して端子が正常に挿入されているか否かを確認できる。これにより、導通検査に係る機器及びスペースを省略し、ワイヤーハーネスの組立工程外において簡素な構成で且つ簡単にコネクタ１２の検査を行うことができる。
【００７８】
また、押印案内部２３が、ホルダー５０の移動方向の検知位置側に向けて徐々に押印部６０の移動方向の押印位置側に向かうカム面状に形成されている。そして、ホルダー５０の検査位置への移動に伴って、押印部６０がカム面状の押印案内部２３に摺接しつつ押印位置側に移動する。このため、より簡単な構成で押印部６０の押印動作を実現できる。
【００７９】
また、押印部６０に、ホルダー５０の検査位置への移動に伴って押印案内部２３に摺接すると共に移動方向に沿って非押込位置から押込位置に押し込み可能な摺接部６６と、摺接部６６を退避位置側に付勢する摺接用付勢部６７とが設けられている。このため、ホルダー５０の検査位置への移動に伴う押印部６０の押印位置側への移動の際に、摺接部６６が摺接用付勢部６７の付勢力に逆らって押込位置側に移動することにより、押印部６０によるコネクタ１２に対する押印時のコネクタ１２と押印部６０との密着を確保しつつ負荷を軽減できる。また、押印部６０の押印位置への移動が押印規制部３８によって規制された時も、摺接部６６の押込位置への移動により、押印案内部２３による案内距離のうち移動規制された分の距離を吸収することができる。
【００８０】
また、スライダ３０が、位置決め付勢部３７によりコネクタ支持凹部５２側に向けて付勢されているため、コネクタ支持凹部５２に支持されたコネクタ１２の一側面に沿って配設される。また、押印規制部３８が、スライダ３０に対して押印部６０の移動方向に遊びを持って支持され、レール部２７によってスライダ３０の移動方向に沿って案内されているため、押印規制部３８が押印部６０の移動を規制することによって押圧されても、押印規制部３８にかかる押印部６０の移動方向の力はレール部２７によって受け止められる。これにより、リテーナ１６の浮きが小さくても、より確実にリテーナ受部３２で浮いたリテーナ１６を受けて検知することができる。
【００８１】
また、押印規制部３８が円柱棒状に形成されているため、レール部２７に対してスムーズに移動することができる。
【００８２】
また、スライダ３０に、解除位置側且つコネクタ支持凹部５２側の端部のうちのリテーナ受部３２の側方に、規制位置側に向けて徐々にコネクタ支持凹部５２側に傾斜する傾斜部３４が形成されているため、コネクタ１２のコネクタ支持凹部５２に対する挿入作業をよりスムーズにすることができる。
【００８３】
また、ホルダー５０に、コネクタ支持凹部５２に支持されるコネクタ１２に対してセット位置側から係止可能なロック８０が設けられているため、コネクタ支持凹部５２に挿入されたコネクタ１２が該コネクタ支持凹部５２から抜け出すのを規制することができる。
【００８４】
また、ロック８０は、コネクタ支持凹部５２に支持されるコネクタ１２に係止する抜止位置と、コネクタ支持凹部５２のセット位置側の領域から退避した規制位置との間で移動可能に設けられ、規制位置で基部２０に対してセット位置側から係止するホルダー移動規制部８４を有している。このため、コネクタ１２がコネクタ支持凹部５２に対して中途半端に挿入された状態では、ロック８０が該コネクタ１２に係止できずに規制位置に維持され、ロック８０のホルダー移動規制部８４が基部２０に係止してホルダー５０の検査位置側への移動を規制する。これにより、コネクタ１２がコネクタ支持凹部５２に対して奥側まで挿入されていない状態におけるコネクタ１２の検査を規制することができる。
【００８５】
＜変形例＞
これまで、ロック８０について、好ましい形状としてホルダー移動規制部８４を有する例で説明してきたが、ホルダー移動規制部８４が省略されてもよい。また、ロック８０が省略されてもよい。この場合、ホルダー５０を検査位置に移動させる際にコネクタ支持凹部５２に支持されたコネクタ１２をコネクタ支持凹部５２内から抜け出さないように押さえておくとよい。
【００８６】
また、押印案内部２３について、ホルダー収容凹部２２のうちのリテーナ通過溝部２４及びスライダ収容凹部２６とは反対側の内壁部から突出する例で説明してきたが、これに限られるものではない。例えば、押印部６０の押印規制突部６８の側部から側方に突出する凸部を設けると共に、ホルダー収容凹部２２のうちのリテーナ通過溝部２４及びスライダ収容凹部２６が形成された内壁部と隣接する内壁部に前記凸部を押印部６０の移動方向に案内するカム面を有する押印案内部を形成してもよい。また、押印部にカム面を儲け、基部にカム面に摺接する凸部を設けてもよい。
【００８７】
また、これまで、好ましい構成として、押印規制部３８がスライダ３０に対して押印部６０の移動方向に遊びを持って支持されている例で説明してきたが、これに限られるものではない。すなわち、押印規制部３８は、スライダ３０に対して押印部６０の移動方向に相対移動不能に設けられていてもよいし、スライダと一体形成されていてもよい。また、位置決め付勢部３７も省略することができる。
【００８８】
また、好ましい構成として、押印部６０が摺接部６６及び摺接用付勢部６７を有する例で説明してきたが、これに限られるものではない。例えば、押印部は、摺接部６６及び摺接用付勢部６７が省略され、押印移動部が押印案内部２３に摺接可能に形成されていてもよい。この場合、押印部が押印規制部３８によって押印位置への移動を規制された際に、押印部の移動規制された位置からの移動距離分を吸収することができないため、ホルダー５０が検査位置側への移動を規制される。
【００８９】
以上のように、この発明は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００９０】
１０  コネクタ検査装置
１２  コネクタ
１６  リテーナ
２０  基部
２３  押印案内部
２７  レール部
３０  スライダ
３２  リテーナ受部
３４  傾斜部
３７  位置決め付勢部
３８  押印規制部
５０  ホルダー
５２  コネクタ支持凹部
６０  押印部
６６  摺接部
６７  摺接用付勢部
８０  ロック
８４  ホルダー移動規制部
【図１】
2014157714.tif 000003
【図２】
2014157714.tif 000004
【図３】
2014157714.tif 000005
【図４】
2014157714.tif 000006
【図５】
2014157714.tif 000007
【図６】
2014157714.tif 000008
【図７】
2014157714.tif 000009
【図８】
2014157714.tif 000010
【図９】
2014157714.tif 000011
【図１０】
2014157714.tif 000012
【図１１】
2014157714.tif 000013
【図１２】
2014157714.tif 000014
【図１３】
2014157714.tif 000015
【図１４】
2014157714.tif 000016
【図１５】
2014157714.tif 000017
【図１６】
2014157714.tif 000018
【図１７】
2014157714.tif 000019